(57)【要約】  【課題】  リモートＩ／Ｏ及びＰＣをＬＡＮ接続する生産ネットワークシステムにおいて、リモートＩ／Ｏにブラウジング機能を持たせたものはなかった。  【解決手段】  ＬＡＮ回線１６と接続すると共に、情報機器と接続する通信端子台機能部２０を備えたリモートＩ／Ｏ１１であって、接続端子に関わる端子名称及び、この接続端子に対応した状態情報を記憶する機器情報メモリ部３０と、ＬＡＮ回線を通じてＰＣ１５からの閲覧アクセスを検出すると、この機器情報メモリ部の記憶内容に基づき、現在の状態情報を表示した閲覧画面をＰＣ１５にブラウジングで外部提供する制御部５６とを有している。【選択図】  図２
2006014067.tif 000002
【特許請求の範囲】
【請求項１】
通信回線と接続すると共に、情報機器と接続する通信端子台装置であって、
この通信端子台装置に関わる情報を記憶管理する情報記憶手段と、
この情報記憶手段に記憶中の情報を表示する画面を、前記通信回線を通じてブラウジングで外部提供するブラウジング通信手段と、
前記通信回線を通じて所定アクセスを検出すると、前記画面をブラウジングで外部提供すべく、前記ブラウジング通信手段を制御する制御手段とを有することを特徴とする通信端子台装置。
【請求項２】
前記情報記憶手段は、
前記通信端子台装置に関わる情報項目及び、この情報項目毎の状態情報を記憶管理し、
前記制御手段は、
前記画面の外部提供中に、前記通信回線を通じて情報変更アクセスを検出すると、この情報変更アクセスに基づき、前記情報項目を変更することを特徴とする請求項１記載の通信端子台装置。
【請求項３】
前記制御手段は、
前記通信回線を通じて接続する設定監視装置からの前記所定アクセスを検出すると、前記画面をブラウジングで前記設定監視装置に外部提供すべく、前記ブラウジング通信手段を制御することを特徴とする請求項１又は２記載の通信端子台装置。
【請求項４】
前記制御手段は、
前記通信回線を通じて接続する他の通信端子台装置からの前記所定アクセスを検出すると、前記画面をブラウジングで前記他の通信端子台装置に外部提供すべく、前記ブラウジング通信手段を制御することを特徴とする請求項１又は２記載の通信端子台装置。
【請求項５】
前記制御手段は、
前記通信回線を通じて接続する設定監視装置への前記画面の外部提供中に、前記設定監視装置から前記情報変更アクセスを検出すると、この情報変更アクセスに基づき、前記情報項目を変更することを特徴とする請求項２又は３記載の通信端子台装置。
【請求項６】
前記制御手段は、
前記通信回線を通じて接続する他の通信端子台装置への前記画面の外部提供中に、前記他の通信端子台装置から前記情報変更アクセスを検出すると、この情報変更アクセスに基づき、前記情報項目を変更することを特徴とする請求項２又は３記載の通信端子台装置。
【発明の詳細な説明】
【技術分野】
【０００１】
本発明は、例えば工場内の機器同士をＬＡＮ回線で接続することで生産ネットワークを形成し、このような生産ネットワークにおいて、例えば生産ライン内の生産機器と端子接続することで、同生産機器の情報をネットワークに出力するＬＡＮ通信機能を備えた、例えばリモートＩ／ＯやＰＬＣ等の通信端子台装置に関する。
【背景技術】
【０００２】
従来、このような通信端子台装置としては、工場等の生産ラインで生産機器等の情報機器と端子接続し、同情報機器の接続情報を検出するリモートＩ／Ｏや、情報機器に端子接続し、同情報機器を制御するＰＬＣ等があり、工場内の機器同士をＬＡＮ回線で接続することで形成した生産ネットワークにおいて、例えば生産ライン内の生産機器と端子接続することで、同生産機器の情報を生産ネットワーク内のパソコン等の設定監視装置に出力するＬＡＮ通信機能を備えたものである。尚、このような通信端子台装置としては、リモートＩ／ＯやＰＬＣ等に限らず、例えば同通信端子台装置の機能を内蔵した温度調整器やタイムスイッチ等も例にあげられる。
【０００３】
このような従来の通信端子台装置を使用したシステムとしては、工場等の生産ネットワークに関わる技術分野ではないが、次に説明するような自動販売機システムが知られている（例えば特許文献１参照）。
【０００４】
特許文献１のシステムは、インターネット用標準プロトコルを実装した自動販売機とパソコンとをＬＡＮ回線で接続構成し、パソコン側では、ＬＡＮ回線を通じて自動販売機から自動販売機データを遠隔収集できるようにしたものである。
【０００５】
このような特許文献１によれば、自動販売機の場所に赴かなくても、ＬＡＮ回線を通じて自動販売機からの自動販売機データをパソコン等で遠隔収集することができる。
【特許文献１】特開平１１−１８５１２０号公報(図１及び要約書参照)
【発明の開示】
【発明が解決しようとする課題】
【０００６】
しかしながら、上記特許文献１によれば、自動販売機にインターネット用標準プロトコルを実装し、パソコン側でＬＡＮ回線を通じて自動販売機から自動販売機データを遠隔収集できるようにしたが、自動販売機側ではパソコン側と同一のブラウジング機能を備えていないため、例えばパソコン側の操作で自動販売機から自動販売機データを収集することはできても、自動販売機に対して自動販売機データのデータ項目、例えば項目名称等を変更するためには専用ソフトを必要とする。
【０００７】
本発明は上記点に鑑みてなされたものであり、その目的とするところは、例えば自動販売機等の通信端子台装置側にブラウジング機能を持たせることで、専用ソフトを用いなくても、ブラウジング上で同通信端子台装置側のデータ項目等の変更調整が可能となる通信端子台装置を提供することにある。
【課題を解決するための手段】
【０００８】
上記目的を達成するために本発明の通信端子台装置は、通信回線と接続すると共に、情報機器と接続する通信端子台装置であって、この通信端子台装置に関わる情報を記憶管理する情報記憶手段と、この情報記憶手段に記憶中の情報を表示する画面を、前記通信回線を通じてブラウジングで外部提供するブラウジング通信手段と、前記通信回線を通じて所定アクセスを検出すると、前記画面をブラウジングで外部提供すべく、前記ブラウジング通信手段を制御する制御手段とを有するようにした。
【０００９】
本発明の通信端子台装置は、前記情報記憶手段が、前記通信端子台装置に関わる情報項目及び、この情報項目毎の状態情報を記憶管理し、前記制御手段は、前記画面の外部提供中に、前記通信回線を通じて情報変更アクセスを検出すると、この情報変更アクセスに基づき、前記情報項目を変更するようにした。
【００１０】
本発明の通信端子台装置は、前記制御手段が、前記通信回線を通じて接続する設定監視装置からの前記所定アクセスを検出すると、前記画面をブラウジングで前記設定監視装置に外部提供すべく、前記ブラウジング通信手段を制御するようにした。
【００１１】
本発明の通信端子台装置は、前記制御手段が、前記通信回線を通じて接続する他の通信端子台装置からの前記所定アクセスを検出すると、前記画面をブラウジングで前記他の通信端子台装置に外部提供すべく、前記ブラウジング通信手段を制御するようにした。
【００１２】
本発明の通信端子台装置は、前記制御手段が、前記通信回線を通じて接続する設定監視装置への前記画面の外部提供中に、前記設定監視装置から前記情報変更アクセスを検出すると、この情報変更アクセスに基づき、前記情報項目を変更するようにした。
【００１３】
本発明の通信端子台装置は、前記制御手段が、前記通信回線を通じて接続する他の通信端子台装置への前記画面の外部提供中に、前記他の通信端子台装置から前記情報変更アクセスを検出すると、この情報変更アクセスに基づき、前記情報項目を変更するようにした。
【発明の効果】
【００１４】
上記のように構成された本発明の通信端子台装置によれば、前記情報記憶手段に記憶中の情報を表示する画面を、前記通信回線を通じてブラウジングで外部提供するブラウジング通信手段を持たせ、前記通信回線を通じて所定アクセスを検出すると、前記画面をブラウジングで外部提供するようにしたので、専用ソフトを用いなくても、通信回線を通じてブラウジング画面上で同通信端子台装置側のデータ変更調整等が可能となる。
【００１５】
本発明の通信端子台装置によれば、前記通信端子台装置に関わる情報項目及び、この情報項目毎の状態情報を前記情報記憶手段に記憶し、前記制御手段は、前記画面の外部提供中に、前記通信回線を通じて情報変更アクセスを検出すると、この情報変更アクセスに基づき、前記情報項目を変更するようにしたので、専用ソフトを用いなくも、通信回線を通じてブラウジング画面上で同通信端子台装置側の情報項目の変更調整等が可能となる。
【００１６】
本発明の通信端子台装置によれば、前記通信回線を通じて接続する設定監視装置からの前記所定アクセスを検出すると、前記画面を前記設定監視装置に外部提供すべく、前記ブラウジング通信手段を制御するようにしたので、専用ソフトを用いなくても、例えばパソコン等の設定監視装置の操作で通信回線を通じてブラウジング画面上で同通信端子台装置側のデータ変更調整等が可能となる。
【００１７】
本発明の通信端子台装置によれば、前記通信回線を通じて接続する他の通信端子台装置からの前記所定アクセスを検出すると、前記画面を前記他の通信端子台装置に外部提供すべく、前記ブラウジング通信手段を制御するようにしたので、専用ソフトを用いなくても、例えば他の通信端子台装置の操作で通信回線を通じてブラウジング画面上で同通信端子台装置側のデータ変更調整等が可能となる。
【００１８】
本発明の通信端子台装置によれば、前記通信回線を通じて接続する設定監視装置への前記画面の外部提供中に、前記設定監視装置から前記情報変更アクセスを検出すると、この情報変更アクセスに基づき、前記情報項目を変更するようにしたので、専用ソフトを用いなくても、例えばパソコン等の設定監視装置の操作で通信回線を通じてブラウジング画面上で同通信端子台装置側の情報項目の変更調整等が可能となる。
【００１９】
本発明の通信端子台装置によれば、前記通信回線を通じて接続する他の通信端子台装置への前記画面の外部提供中に、前記他の通信端子台装置から前記情報変更アクセスを検出すると、この情報変更アクセスに基づき、前記情報項目を変更するようにしたので、専用ソフトを用いなくても、他の通信端子台装置の操作で通信回線を通じてブラウジング画面上で同通信端子台装置側の情報項目の変更調整等が可能となる。
【発明を実施するための最良の形態】
【００２０】
以下、図面に基づいて本発明の通信端子台装置に関わる実施の形態を示す生産ネットワークシステムについて説明する。図１は本実施の形態を示す生産ネットワークシステム全体の概略構成を示すブロック図である。
【００２１】
図１に示す生産ネットワークシステム１は、工場内の生産ラインに配置され、例えば検査機器や生産機器等の情報機器に端子接続し、同情報機器の接続情報を検出出力する３台のリモートＩ／Ｏ１１（１１Ａ，１１Ｂ，１１Ｃ）と、機器の設定温度を調整する３台の温度調整器１２（１２Ａ，１２Ｂ，１２Ｃ）と、例えば生産機器に端子接続し、この生産機器を制御するＰＬＣ１３と、例えば生産機器に端子接続し、生産機器のタイマ時間を設定するタイムスイッチ１４と、パソコン等の設定監視装置（以下、単にＰＣと称する）１５とを有し、これらリモートＩ／Ｏ１１、温度調整器１２、ＰＬＣ１３、タイムスイッチ１４及びＰＣ１５をＬＡＮ回線１６で有線接続することで同システムを構成するものである。
【００２２】
尚、これらリモートＩ／Ｏ１１、温度調整器１２、ＰＬＣ１３及びタイムスイッチ１４は、ＬＡＮ回線１６に接続するための通信端子台機能部２０を備えている。図２は本実施の形態に関わる通信端子台機能部２０内部の概略構成を示すブロック図である。
【００２３】
図２に示す通信端子台機能部２０は、ＬＡＮ回線１６と接続するＬＡＮ通信インタフェース２１と、入力情報を入力する情報入力部２２と、出力情報を出力する情報出力部２３と、様々な情報を記憶管理するメモリ部２４と、この通信端子台機能部２０全体の制御を司るＣＰＵ２５とを有している。
【００２４】
ＬＡＮ通信インタフェース２１は、ＬＡＮ回線１６とのＬＡＮ通信機能を司ると共に、ＬＡＮ回線１６を通じて情報画面を外部提供するブラウジング機能を備えている。
【００２５】
情報入力部２２は、リモートＩ／Ｏ１１の通信端子台機能部２０の場合、例えば検査機器の接続情報を入力情報として入力する部位である。情報出力部２３は、リモートＩ／Ｏ１１の通信端子台機能部２０の場合、例えば警報ランプを点灯するランプ制御情報を出力情報として出力する部位である。
【００２６】
メモリ部２４は、機器情報を記憶管理する機器情報メモリ部３０と、生産ネットワークシステム１内の機器に関わる宛先情報（ＩＰアドレス）を記憶管理する宛先情報メモリ部４０とを有している。
【００２７】
機器情報メモリ部３０は、生産ネットワークシステム１内の機器、例えばリモートＩ／Ｏ１１やタイムスイッチ１４等の機器種別を識別する識別子を記憶する識別子領域３１と、設定情報を記憶する設定情報領域３２と、情報項目を記憶する情報項目領域３３と、この情報項目に対応した状態情報を記憶する状態情報領域３４とを有している。尚、識別子は、生産ネットワークシステム１においてリモートＩ／Ｏ１１Ａ，１１Ｂ，１１Ｃの機器種別が同一であるため識別子も同一にするものとする。
【００２８】
設定情報領域３２に記憶中の設定情報とは、機器毎の設定内容、例えばタイムスイッチ１４の通信端子台機能部２０の場合、タイマ開始時刻やタイマ終了時刻等の設定時刻等の設定内容に相当するものである。また、リモートＩ／Ｏ１１の場合、複数の接続端子に関わる入力や出力等の割付内容に相当するものである。
【００２９】
宛先情報メモリ部４０は、生産ネットワークシステム１内の全機器に関わる宛先情報（ＩＰアドレス）を記憶管理する全機器宛先領域４１と、生産ネットワークシステム１内の自己が所属するグループの機器に関わる宛先情報（ＩＰアドレス）を記憶管理するグループ機器宛先領域４２とを有している。尚、グループ機器宛先領域４２は、例えばリモートＩ／Ｏ１１Ａの通信端子台機能部２０の場合、例えばリモートＩ／Ｏ１１Ｂ、１１Ｃをグループ機器とし、これらリモートＩ／Ｏ１１Ｂ，１１Ｃの宛先情報を記憶するものである。
【００３０】
ＣＰＵ２５は、ＬＡＮ通信インタフェース２１を通じてブラウジングで外部提供する画面を生成するブラウジング画面生成部５１と、ＬＡＮ通信インタフェース２１を通じて画面上の情報項目の内容変更を検出する情報項目変更部５２と、ＬＡＮ通信インタフェース２１を通じて検索対象の情報項目の状態情報を生産ネットワークシステム１内の他の機器から取得する情報検索部５３と、ＬＡＮ通信インタフェース２１を通じて変更に関わる設定情報を検出すると、この設定情報に付加した識別子を抽出する識別子抽出部５４と、この識別子抽出部５４にて抽出した識別子が識別子領域３１に記憶中の自己機器の識別子と同一であるか否かを判定する識別子判定部５５と、このＣＰＵ２５全体を制御する制御部５６とを有している。
【００３１】
制御部５６は、ＬＡＮ通信インタフェース２１を通じて、例えばＰＣ１５からの情報項目変更アクセスを検出すると、情報項目変更部５２にてブラウジング画面上の情報項目の変更内容を検出し、この変更した情報項目を情報項目領域３３に記憶更新するものである。尚、この情報項目変更アクセスは、ブラウジング画面上で、例えばリモートＩ／Ｏ１１の情報項目（端子名称）を変更する、例えば“Ｉｎｐｕｔ１”を“入力端子１”に端子名称を変更するような場合に使用される操作アクセスである。
【００３２】
制御部５６は、ＬＡＮ通信インタフェース２１を通じて、例えばＰＣ１５からの閲覧アクセスを検出すると、機器情報メモリ部３０の情報項目領域３３及び状態情報領域３４に記憶中の情報項目及び状態情報に基づき、現在の情報項目及び状態情報を表示した画面をブラウジング画面生成部５１にて生成し、この生成した閲覧画面をＬＡＮ回線１６でＰＣ１５に外部提供するものである。尚、この閲覧アクセスは、例えばリモートＩ／Ｏ１１の場合、現在の状態情報を表示した画面の提供を受けるのに使用される操作アクセスである。
【００３３】
制御部５６は、ＬＡＮ通信インタフェース２１を通じて、例えばＰＣ１５からの検索編集アクセスを検出すると、情報検索部５３にて検索編集アクセスの検索対象の情報項目を検出し、この情報項目に対応した状態情報を生産ネットワークシステム１内の他の機器から検索し、この検索結果を編集し、この検索編集結果に基づき画面をブラウジング画面生成部５１にて生成し、この生成した検索編集画面をＬＡＮ回線１６で外部提供するものである。尚、この検索編集アクセスは、生産ネットワークシステム１内の検索対象の情報項目に対応した状態情報を一覧表示した画面の提供を受けるのに使用される操作アクセスである。
【００３４】
制御部５６は、ＬＡＮ通信インタフェース２１を通じて、例えばＰＣ１５からの設定情報変更アクセスを検出すると、この設定情報変更アクセスに関わる新たな設定情報に基づき、機器情報メモリ部３０の設定情報領域３２に同設定情報を記憶更新するものである。尚、設定情報変更アクセスは、例えば温度調整器１２の場合、例えば設定温度を“８５℃”から“９２℃”に設定するような場合に使用される操作アクセスである。
【００３５】
さらに、制御部５６は、設定情報変更アクセスに基づき設定情報を記憶更新すると、この設定情報に識別子領域３１に記憶中の自己の識別子を付加し、全機器宛先領域４１に記憶中の各機器のＩＰアドレスに基づき、同識別子を付加した設定情報を、ＬＡＮ回線１６を通じて各機器に配信するものである。
【００３６】
また、各機器の制御部５６は、生産ネットワークシステム１内の他の機器から設定情報を検出すると、この設定情報から識別子抽出部５４を通じて識別子を抽出し、識別子判定部５５にて同識別子が自己の識別子と同一であるか否かを判定し、同識別子が同一であると判定されると、同設定情報を設定情報領域３２に記憶更新するものである。
【００３７】
また、制御部５６は、識別子判定部５５にて識別子が自己の識別子と同一でないと判定されると、設定情報領域３２への記憶更新動作を禁止するものである。
【００３８】
図３は本実施の形態に関わるリモートＩ／Ｏ１１の外観を示す説明図、図４は同リモートＩ／Ｏ１１の接続端子の設定内容を端的に示す説明図である。
【００３９】
図３に示すリモートＩ／Ｏ１１は、ＬＡＮ回線１６に接続するＬＡＮ接続端子６１と、１８個の接続端子６２とを有し、各接続端子６２は、例えば設定情報領域３２に記憶中の設定情報に基づき、図４に示すように、例えば出力用電源入力端子、グランド端子、出力端子や入力端子等に夫々設定されることになる。
【００４０】
尚、リモートＩ／Ｏ１１Ａの接続端子６２の内、例えば出力端子に４個、入力端子に４個割り当て、これら４個の出力端子をリモートＩ／Ｏ１１Ｂの４個の入力端子に、リモートＩ／Ｏ１１Ａの４個の入力端子をリモートＩ／Ｏ１１Ｂの４個の出力端子に割り当てることで、これらリモートＩ／Ｏ１１Ａ及びリモートＩ／Ｏ１１Ｂ間で親子関係を形成することもできる。
【００４１】
また、リモートＩ／Ｏ１１Ａの接続端子６２の内、例えば入力端子に８個割り当て、これら入力端子の内、４個の入力端子をリモートＩ／Ｏ１１Ｂの４個の出力端子、リモートＩ／Ｏ１１Ａの残りの４個の入力端子をリモートＩ／Ｏ１１Ｃの４個の出力端子に割り当てることで、リモートＩ／Ｏ１１Ａを親とし、リモートＩ／Ｏ１１Ｂ，１１Ｃを子とする、リモートＩ／Ｏ１１の親子関係を形成することもできる。
【００４２】
図５乃至図９は本実施の形態に関わるリモートＩ／Ｏ１１の通信端子台機能部２０からの外部提供を受けたＰＣ１５で表示中のブラウジング画面の例を端的に示す説明図である。
【００４３】
図５に示すブラウジング画面は、リモートＩ／Ｏ１１からＰＣ１５に外部提供する、リモートＩ／Ｏ１１の現在状態を表示した閲覧画面１００に相当し、この閲覧画面１００は、リモートＩ／Ｏ１１の本体名称を示す本体名称表示欄１０１と、リモートＩ／Ｏ１１の入力端子や出力端子等の端子名称を示す端子名称表示欄１０２と、各端子の状態情報を示す状態情報表示欄１０３と、出力端子の出力内容を変更指示する出力変更ボタン選択欄１０４とを有し、ＰＣ１５のユーザは、リモートＩ／Ｏ１１への閲覧アクセス操作を行うことで、同リモートＩ／Ｏ１１から閲覧画面１００の提供を受け、同閲覧画面１００を目視することで、例えば本体名称、端子名称、同端子名称に対応した状態情報を認識することができるものである。
【００４４】
さらに、ＰＣ１５のユーザは、図５に示す閲覧画面１００上の出力端子の端子名称に対応した出力変更ボタン選択欄１０４を選択操作する、例えば“Ｏｕｔｐｕｔ０”の出力変更ボタン選択欄１０４で“ＯＮボタン”を選択することで、その出力内容をＯＮに設定し、その状態情報は“ＯＮ”ということになる。つまり、ＰＣ１５から出力内容を設定変更することも可能となる。
【００４５】
図６に示すブラウジング画面は、リモートＩ／Ｏ１１からＰＣ１５に外部提供する、閲覧画面１００上の本体名称表示欄１０１に表示する本体名称を変更する本体名称変更画面１１０に相当し、この本体名称変更画面１１０は、新しい本体名称を入力するための本体名称入力欄１１１と、新しいＩＰアドレスを入力するためのＩＰアドレス入力欄１１２と、決定ボタン１１３とを有し、ＰＣ１５のユーザは、リモートＩ／Ｏ１１への本体名称変更アクセス操作を行うことで、同リモートＩ／Ｏ１１から本体名称変更画面１１０の提供を受け、同本体名称変更画面１１０上で本体名称及びＩＰアドレスを変更することができるものである。
【００４６】
図７に示すブラウジング画面は、リモートＩ／Ｏ１１からＰＣ１５に外部提供する、閲覧画面１００上の端子名称表示欄１０２に表示する端子名称を変更する端子名称変更画面１２０に相当し、この端子名称変更画面１２０は、接続端子毎に、端子名称を入力する端子名称入力欄１２１と、決定ボタン１２２とを有し、ＰＣ１５のユーザは、リモートＩ／Ｏ１１への端子名称変更アクセス操作を行うことで、同リモートＩ／Ｏ１１から端子名称変更画面１２０の提供を受け、同端子名称変更画面１２０上で接続端子毎の端子名称を変更することができるものである。
【００４７】
図８に示すブラウジング画面は、リモートＩ／Ｏ１１からＰＣ１５に外部提供する、検索対象の情報項目に対応した、生産ネットワークシステム１内部の全機器に関わる状態情報の検索結果を示す検索編集画面１３０に相当し、この検索編集画面１３０は、検索対象の情報項目を示す検索対象項目欄１３１と、同検索対象の情報項目に関わる機器を示す本体名称欄１３２と、同機器の検索対象の情報項目に対応した状態情報を示す状態情報欄１３３とを有し、ＰＣ１５のユーザは、例えばリモートＩ／Ｏ１１Ａへの検索編集アクセス操作を行うことで、同リモートＩ／Ｏ１１Ａから同検索対象の情報項目に対応した機器の状態情報を示す検索編集画面１３０の提供を受け、同検索編集画面１３０を目視することで、生産ネットワークシステム１内の同検索対象の情報項目に対応した状態情報を認識することができる。尚、図８においては、３台のリモートＩ／Ｏ１１に関わる検索対象の情報項目として、“Ｉｎｐｕｔ０”に対応した状態情報が一覧表示されている例を示している。
【００４８】
尚、請求項記載の通信端子台装置は通信端子台機能部２０、情報機器は生産機器、検査機器、温度調整器本体やタイムスイッチ本体等の機器、通信回線はＬＡＮ回線１６、情報記憶手段はメモリ部２４、ブラウジング通信手段及び制御手段はＣＰＵ２５に相当するものである。
【００４９】
次に本実施の形態に関わる生産ネットワークシステム１の動作について説明する。図９は本実施の形態に関わるブラウジング画面登録処理に関わるリモートＩ／Ｏ１１のＣＰＵ２５の処理動作を示すフローチャートである。
【００５０】
図９に示すブラウジング画面登録処理とは、ＰＣ１５からの表示変更アクセス（本体名称変更アクセス、端子名称変更アクセス）に応じてリモートＩ／Ｏ１１にて外部提供するブラウジング画面上の情報項目を登録変更するための処理である。
【００５１】
図９においてＣＰＵ２５の制御部５６は、ＬＡＮ回線１６を通じてＰＣ１５から本体名称変更アクセスを検出したか否かを判定する（ステップＳ１１）。
【００５２】
制御部５６は、ＬＡＮ回線１６を通じて本体名称変更アクセスを検出したのであれば、図６に示す本体名称変更画面１１０をＰＣ１５にブラウジング提供する（ステップＳ１２）。尚、ＰＣ１５のユーザは、本体名称変更画面１１０上で本体名称等の情報項目の内容を変更することができるものである。
【００５３】
制御部５６は、ＰＣ１５による画面上の変更操作を経て、情報項目変更部５２を通じてＰＣ１５から画面上の決定ボタンのボタン操作を検出したか否かを判定する（ステップＳ１３）。
【００５４】
制御部５６は、決定ボタンのボタン操作を検出したと判定されると、画面上の変更内容に基づき、情報項目領域３３を登録更新し（ステップＳ１４）、この処理動作を終了する。
【００５５】
また、制御部５６は、ＬＡＮ回線１６を通じてＰＣ１５から端子名称変更アクセスを検出したか否かを判定する（ステップＳ１５）。
【００５６】
制御部５６は、端子名称変更アクセスを検出したのであれば、図７に示す端子名称変更画面１２０をＰＣ１５にブラウジング提供し（ステップＳ１６）、端子名称変更画面１２０上の決定ボタンのボタン操作を監視すべく、ステップＳ１３に移行する。尚、ＰＣ１５のユーザは、端子名称変更画面１２０上で端子名称等の情報項目の内容を変更することができるものである。
【００５７】
図９に示すブラウジング画面登録処理によれば、リモートＩ／Ｏ１１がＰＣ１５に外部提供するブラウジング画面上の情報項目をＰＣ１５のアクセス操作に応じて簡単に変更することができる。尚、図９に示すブラウジング画面登録処理においては、本体名称や端子名称等の情報項目を登録変更できるようにしたが、ＩＰアドレスについても登録変更可能であることは言うまでもない。
【００５８】
図１０は本実施の形態に関わるブラウジング画面提供処理に関わるリモートＩ／Ｏ１１内部のＣＰＵ２５の処理動作を示すフローチャートである。
【００５９】
図１０に示すブラウジング画面提供処理とは、ＰＣ１５からの閲覧アクセスに応じて、同リモートＩ／Ｏ１１の現在の状態を示す閲覧画面１００をブラウジングでＰＣ１５に外部提供する処理である。
【００６０】
図１０においてＣＰＵ２５の制御部５６は、ＬＡＮ通信インタフェース２１を通じてＰＣ１５からの閲覧アクセスを検出したか否かを判定する（ステップＳ２１）。
【００６１】
制御部５６は、ＰＣ１５からの閲覧アクセスを検出したのであれば、機器情報メモリ部３０の記憶内容に基づき現在の接続状態等を示す閲覧画面１００（図５参照）をブラウジング画面生成部５１にて生成し、この閲覧画面１００をブラウジングでＰＣ１５に外部提供する（ステップＳ２２）。
【００６２】
制御部５６は、ＰＣ１５からの制御アクセスを検出したか否かを判定する（ステップＳ２３）。尚、制御アクセスとは、例えば図５に示す閲覧画面１００上の出力変更ボタン選択欄１０４のボタン操作に相当するものである。
【００６３】
制御部５６は、ＰＣ１５からの制御アクセスを検出したのであれば、この制御アクセスに基づき制御動作を実行し（ステップＳ２４）、ステップＳ２２に移行する。尚、制御動作の実行とは、例えば出力変更ボタン選択欄１０４のボタン操作で出力内容をＯＦＦからＯＮに切り換えるような制御動作に相当するものである。
【００６４】
制御部５６は、ステップＳ２３にてＰＣ１５からの制御アクセスを検出したのでなければ、ＰＣ１５からの終了アクセスを検出したか否かを判定する（ステップＳ２５）。
【００６５】
制御部５６は、ステップＳ２５にて終了アクセスを検出したのであれば、この処理動作を終了する。
【００６６】
また、制御部５６は、ステップＳ２５にて終了アクセスを検出したのでなければ、ステップＳ２２に移行する。
【００６７】
図１０に示すブラウジング画面提供処理によれば、ＰＣ１５からの閲覧アクセスを検出すると、リモートＩ／Ｏ１１の現在の状態を示す閲覧画面１００をブラウジングでＰＣ１５に外部提供するようにしたので、ＰＣ１５のユーザは、閲覧画面１００の内容を目視することでリモートＩ／Ｏ１１の現在の状態を認識することができる。また、ＰＣ１５のユーザは、閲覧画面１００上の出力変更ボタン選択欄１０４のボタン操作を行うことで、遠隔の制御動作をＩ／Ｏリモート１１に指示することができる。
【００６８】
図１１は本実施の形態の検索編集ブラウジング画面提供処理に関わるリモートＩ／Ｏ１１のＣＰＵ２５の処理動作を示すフローチャートである。
【００６９】
図１１に示す検索編集ブラウジング画面提供処理とは、ＰＣ１５からの検索編集アクセスに応じて、例えばリモートＩ／Ｏ１１にて生産ネットワークシステム１内の各機器に対して検索対象の情報項目をキーワードとして同情報項目に対応した状態情報を検索し、この検索結果を検索編集画面１３０としてブラウジングでＰＣ１５に外部提供する処理である。
【００７０】
図１１においてＣＰＵ２５の制御部５６は、ＬＡＮ回線１６を通じてＰＣ１５からの検索編集アクセスを検出したか否かを判定する（ステップＳ３１）。尚、検索編集アクセスには、検索対象の情報項目が含まれているものとする。
【００７１】
制御部５６は、ＰＣ１５からの検索編集アクセスを検出したのであれば、この検索編集アクセス内に検索対象の情報項目を抽出する（ステップＳ３２）。
【００７２】
制御部５６は、検索対象の情報項目を抽出すると、全機器宛先領域４１に記憶中のＩＰアドレスに基づいて、生産ネットワークシステム１内の各機器（リモートＩ／Ｏ１１Ｂ，１１Ｃ、温度調整器１２Ａ，１２Ｂ，１２Ｃ、ＰＬＣ１３及びタイムスイッチ１４）に対して同検索対象の情報項目をキーワードとし、この情報項目に対応した状態情報を検索させるための検索動作を、情報検索部５３に実行させる（ステップＳ３３）。
【００７３】
制御部５６は、検索対象の情報項目に対応した状態情報を各機器から取得するための検索取得タイマをスタートし（ステップＳ３４）、各機器から検索結果を、情報検索部５３を通じて取得する（ステップＳ３５）。尚、検索結果は、検索対象の情報項目に対応した状態情報及び機器を示す本体名称を含む識別情報に相当するものである。
【００７４】
制御部５６は、ステップＳ３４にてスタートした検索結果取得タイマがタイムアップしたか否かを判定する（ステップＳ３６）。
【００７５】
制御部５６は、検索結果取得タイマがタイムアップしたのであれば、取得した検索結果に基づき、検索対象の情報項目に対応した状態情報を表示した検索編集画面１３０（図８参照）をブラウジング画面生成部５１にて生成し（ステップＳ３７）、この生成した検索編集画面１３０をブラウジングでＰＣ１５に外部提供し（ステップＳ３８）、この検索編集ブラウジング画面提供処理の処理動作を終了する。
【００７６】
制御部５６は、ステップＳ３１にてＰＣ１５から検索編集アクセスを検出したのでなければ、この処理動作を終了する。
【００７７】
図１１に示す検索編集ブラウジング画面提供処理によれば、ＰＣ１５からの検索編集アクセスに応じてリモートＩ／Ｏ１１にて生産ネットワークシステム１内の全機器に対して、キーワードとして検索対象の情報項目に対応した状態情報を検索し、この検索結果を検索編集画面１３０としてブラウジングでＰＣ１５に外部提供するようにしたので、ＰＣ１５のユーザは、検索編集画面１３０上で生産ネットワークシステム１内の検索対象の情報項目に対応した状態情報を認識することができる。
【００７８】
図１２は設定情報一括変更処理に関わる温度調整器１２Ａ内部のＣＰＵ２５の処理動作を示すフローチャートである。
【００７９】
図１２に示す設定情報一括変更処理とは、ＰＣ１５からの設定情報変更アクセスに応じて温度調整器１２Ａ内部の設定情報、例えば設定温度を変更すると、生産ネットワークシステム１内の同一機種に関わる温度調整器１２がある場合、これら温度調整器１２Ｂ，１２Ｃの設定情報をも一括で変更することができる処理である。
【００８０】
図１２においてＣＰＵ２５の制御部５６は、ＬＡＮ回線１６を通じてＰＣ１５からの設定情報変更アクセスを検出したか否かを判定する（ステップＳ４１）。尚、設定情報変更アクセスには、変更内容である設定情報も含まれているものとする。
【００８１】
制御部５６は、設定情報変更アクセスを検出すると、この設定情報変更アクセスに含まれる設定情報に基づき、機器情報メモリ部３０の設定情報領域３２に変更登録する（ステップＳ４２）。
【００８２】
制御部５６は、設定情報領域３２への変更登録が完了すると、この設定情報に対して、識別子領域３１に記憶中の自己の機器種別を示す識別子を付加し（ステップＳ４３）、全機器宛先領域４１に記憶中のＩＰアドレスに基づいて、生産ネットワークシステム１内の全機器に対してブラウジングで同識別子を付加した設定情報を配信し（ステップＳ４４）、設定情報を受信した機器側で処理する、図１３に示すグループ設定情報変更処理（ステップＳ４５）を実行した後、この処理動作を終了する。
【００８３】
また、制御部５６は、ステップＳ４１にてＰＣ１５からの設定情報変更アクセスを検出したのでなければ、この処理動作を終了する。
【００８４】
次にステップＳ４５のグループ設定情報変更処理について説明する。図１３はグループ設定情報変更処理に関わる温度調整器１２Ｂ内部のＣＰＵ２５の処理動作を示すフローチャートである。
【００８５】
図１３に示すグループ設定情報変更処理とは、例えば１台の温度調整器１２Ａからの設定情報を受信した他の機器、例えば温度調整器１２Ｂ側の処理動作である。
【００８６】
図１３において温度調整器１２ＢのＣＰＵ２５の制御部５６は、ＬＡＮ回線１６を通じて他の機器、例えば温度調整器１２Ａから設定情報を受信したか否かを判定する（ステップＳ５１）。
【００８７】
制御部５６は、識別子抽出部５４を通じて設定情報に含まれる識別子を抽出する（ステップＳ５２）。
【００８８】
制御部５６の識別子判定部５５は、この識別子抽出部５４にて抽出した識別子と機器情報メモリ部３０の識別子領域３１に記憶中の自己の識別子とが同一であるか否かを判定する（ステップＳ５３）。
【００８９】
制御部５６は、識別子判定部５５にて識別子が同一であると判定されると、同一機種の設定情報であるものと判断し、同設定情報を設定情報領域３２に変更登録し（ステップＳ５４）、この処理動作を終了する。尚、例えば温度調整器１２Ａ，１２Ｂ，１２Ｃでは同一機種であるため、識別子は同一ということになる。また、例えば温度調整器１２及びタイマスイッチ１４では異なる機種であるため、その識別子も異なるということになる。
【００９０】
また、制御部５６は、ステップＳ５３にて識別子が同一でないと判定されると、ステップＳ５１にて受信した設定情報が登録すべき設定情報でないものと判断し、この処理動作を終了する。尚、温度調整器１２Ｃにおいても、同様に、図１３に示すグループ設定情報変更処理を実行するものである。
【００９１】
図１２及び図１３に示す設定情報一括処理によれば、ＰＣ１５からの温度調整器１２Ａの設定情報を変更するアクセスを検出すると、同温度調整器１２Ａ内の設定情報を記憶更新すると共に、生産ネットワークシステム１内の他の温度調整器１２Ｂ，１２Ｃに対しても同設定情報を配信するようにしたので、ＰＣ１５のユーザは、生産ネットワークシステム１内に同一機種の機器に対して同一内容の設定情報を変更しようとする場合、例えば１台の温度調整器１２Ａへの設定情報の変更操作を実行するだけで、生産ネットワークシステム１内における同一機種の他の温度調整器１２Ｂ，１２Ｃへの設定情報を変更登録することもできる。
【００９２】
尚、上記実施の形態においては、例えば温度調整器１２Ａが設定情報を生産ネットワークシステム１内の他の温度調整器１２Ｂ、１２Ｃに配信する場合、設定情報に識別子を付加し、設定情報を受信する側の機器（例えばリモートＩ／Ｏ１１、温度調整器１２、ＰＬＣ１３、タイムスイッチ１４）でも、設定情報から識別子を抽出する識別子抽出部５４や識別子が同一であるか否かを判定する識別子判定部５５を備えるようにしたが、次に説明するような場合には、これら識別子抽出部５４や識別子判定部５５を設ける必要もなくなる。
【００９３】
では、このような他の実施の形態を示す生産ネットワークシステム１について、図１４及び図１５に基づき説明する。図１４は他の実施の形態に関わる設定情報一括変更処理に関わる温度調整器１２Ａ内部のＣＰＵ２５の処理動作を示すフローチャートである。
【００９４】
図１４に示す設定情報一括変更処理は、前述した識別子抽出部５４や識別子判定部５５を設けることなく、生産ネットワークシステム１内の各機器（リモートＩ／Ｏ１１、温度調整器１２、ＰＬＣ１３及びタイムスイッチ１４）側に、同一機種の機器に関わるＩＰアドレス、例えば温度調整器１２Ａの場合、同一機種である他の温度調整器１２Ｂ，１２ＣのＩＰアドレスを予め記憶しておき、ＰＣ１５から温度調整器１２Ａの設定情報の変更アクセスを検出すると、同設定情報を登録更新すると共に、生産ネットワークシステム１内の他の温度調整器１２Ｂ，１２ＣのＩＰアドレスに基づいて同設定情報を直接配信する処理である。
【００９５】
図１４において制御部５６は、ＬＡＮ回線１６を通じてＰＣ１５からの設定情報の変更アクセスを検出したか否かを判定する（ステップＳ６１）。尚、設定情報変更アクセスには、変更内容である設定情報が含まれているものとする。
【００９６】
制御部５６は、設定情報変更アクセスを検出すると、この設定情報変更アクセスに含まれる設定情報に基づき、機器情報メモリ部３０の設定情報領域３２に変更登録する（ステップＳ６２）。
【００９７】
制御部５６は、設定情報領域３２への設定情報の変更登録が完了すると、グループ機器宛先領域４２に記憶中のＩＰアドレスに基づき、同グループ内の各機器に対してブラウジングで同設定情報を配信し（ステップＳ６３）、設定情報を受信した機器側で処理する、図１５に示すグループ設定情報変更処理（ステップＳ６４）を実行した後、この処理動作を終了する。尚、グループ機器宛先領域４２に記憶中のＩＰアドレスは、同一機種の機器に関わるＩＰアドレスに相当するものである。
【００９８】
次にステップＳ６３にて設定情報を受信した機器側の動作について説明する。図１５はグループ設定情報変更処理に関わる他の温度調整器１２Ｂ内部のＣＰＵ２５の処理動作を示すフローチャートである。
【００９９】
図１５に示すグループ設定情報変更処理とは、例えば１台の温度調整器１２Ａの設定情報を変更すると、生産ネットワークシステム１内の同一機種に関わる温度調整器１２Ｂ，１２Ｃも同様に設定情報を変更する処理である。
【０１００】
図１５において温度調整器１２ＢのＣＰＵ２５の制御部５６は、ＬＡＮ回線１６を通じて他の機器から設定情報を受信したか否かを判定する（ステップＳ７１）。
【０１０１】
制御部５６は、設定情報を受信したのであれば、同一機種である温度調整器１２の設定情報であるものと判断し、同設定情報を設定情報領域３２に登録更新することで（ステップＳ７２）、この処理動作を終了する。尚、温度調整器１２Ｃにおいても、同様に、図１５に示すグループ設定情報変更処理を実行するものである。
【０１０２】
図１４及び図１５に示す設定情報一括変更処理によれば、ＰＣ１５からの設定情報の変更アクセスを検出すると、この設定情報を設定情報領域３２に記憶更新し、グループ機器宛先領域４２に記憶中の各機器のＩＰアドレスに基づいて、各機器に対して同設定情報を直接ブラウジングで配信すると共に、各機器が同設定情報を受信すると、同設定情報を設定情報領域３２に記憶更新するようにしたので、前述した識別子抽出部５４や識別子判定部５５を備えなくても、ＰＣ１５のユーザは、１台の温度調整器１２Ａへの設定情報の変更操作を実行するだけで、同一機種の他の温度調整器１２Ｂ，１２Ｃへの設定情報をも変更登録することができる。
【０１０３】
本実施の形態によれば、例えばリモートＩ／Ｏ１１Ａに関わる情報項目及び、この情報項目毎の状態情報をリモートＩ／Ｏ１１Ａ内の機器情報メモリ部３０に記憶し、例えばＰＣ１５から閲覧アクセスを検出すると、同リモートＩ／Ｏ１１Ａの情報項目及び状態情報を表示した閲覧画面をＰＣ１５にブラウジングで外部提供するようにしたので、ＰＣ１５のユーザは、専用ソフトを用いなくても、リモートＩ／Ｏ１１Ａに関わる閲覧画面を見ることができる。
【０１０４】
本実施の形態によれば、例えばリモートＩ／Ｏ１１ＡからＰＣ１５への画面の外部提供中に、ＬＡＮ回線１６を通じてＰＣ１５からリモートＩ／Ｏ１１Ａへの情報変更アクセスを検出すると、この情報変更アクセスに基づき、情報項目を変更するようにしたので、ＰＣ１５のユーザは、専用ソフトを用いなくも、ＬＡＮ回線１６を通じてブラウジング画面上でリモートＩ／Ｏ１１Ａ側の情報項目の変更調整等が可能となる。
【０１０５】
尚、上記実施の形態においては、リモートＩ／Ｏ１１の通信端子台機能部２０を例にあげて説明したが、図１にも示すように、生産ネットワークシステム１内の機器、例えば温度調整器１２、ＰＬＣ１３やタイムスイッチ１３等の機器にも、同通信端子台機能部２０が備えられているため、同様の作用及び効果が得られることは言うまでもない。
【０１０６】
また、上記実施の形態においては、ＰＣ１５からリモートＩ／Ｏ１１Ａへのアクセスに応じて同リモートＩ／Ｏ１１からＰＣ１５に閲覧画面をブラウジングで外部提供するようにした例について説明したが、ＰＣ１５からだけではなく、例えば表示機能やキー入力機能を、例えばリモートＩ／Ｏ１１、温度調整器１２、ＰＬＣ１３、タイムスイッチ１４等の機器に持たせた場合、ＰＣ１５からのアクセスだけでなく、例えばリモートＩ／Ｏ１１Ａからタイムスイッチ１４へのアクセスに応じて同タイムスイッチ１４からリモートＩ／Ｏ１１Ａに閲覧画面をブラウジングで外部提供するようにしても良く、同様の効果が得られることは言うまでもない。
【０１０７】
また、上記実施の形態においては、工場等の生産ネットワークシステム１を例に挙げて説明したが、例えば各室内の空気調整器や照明調整器に通信端子台機能部２０を持たせることで、室内の空気調整器や照明調整器の状態情報を表示した閲覧画面をＰＣ１５に外部提供したり、空気調整器や照明調整器へのＰＣ１５による遠隔操作も可能となり、例えば社内管理システム等にも適用可能であることは言うまでもない。
【産業上の利用可能性】
【０１０８】
本発明の通信端子台装置によれば、専用ソフトを用いなくても、通信回線を通じてブラウジング画面上で同通信端子台装置側のデータ変更調整等が可能となるので、例えば工場等の生産機器や検査機器等にＬＡＮ接続構成する生産ネットワークシステムに有用である。
【図面の簡単な説明】
【０１０９】
【図１】本発明の通信端子台装置に関わる実施の形態を示す生産ネットワークシステム全体の概略構成を示すブロック図である。
【図２】本実施の形態に関わる通信端子台機能内部の概略構成を示すブロック図である。
【図３】本実施の形態に関わるリモートＩ／Ｏの外観を示す説明図である。
【図４】本実施の形態に関わるリモートＩ／Ｏの接続端子の設定内容を端的に示す説明図である。
【図５】本実施の形態に関わるリモートＩ／Ｏが外部提供する閲覧画面の一例を端的に示す説明図である。
【図６】本実施の形態に関わるリモートＩ／Ｏが外部提供する本体名称変更画面の一例を端的に示す説明図である。
【図７】本実施の形態に関わるリモートＩ／Ｏが外部提供する端子名称変更画面の一例を端的に示す説明図である。
【図８】本実施の形態に関わるリモートＩ／Ｏが外部提供する検索編集画面の一例を端的に示す説明図である。
【図９】本実施の形態に関わるブラウジング画面登録処理のリモートＩ／Ｏに関わるＣＰＵの処理動作を示すフローチャートである。
【図１０】本実施の形態に関わるブラウジング画面提供処理のリモートＩ／Ｏに関わるＣＰＵの処理動作を示すフローチャートである。
【図１１】本実施の形態に関わる検索編集ブラウジング画面処理のリモートＩ／Ｏに関わるＣＰＵの処理動作を示すフローチャートである。
【図１２】本実施の形態に関わる設定情報一括変更処理に関わる温度調整器のＣＰＵの処理動作を示すフローチャートである。
【図１３】本実施の形態に関わるグループ設定情報変更処理に関わる他の温度調整器のＣＰＵの処理動作を示すフローチャートである。
【図１４】他の実施の形態に関わる設定情報一括変更処理に関わる温度調整器のＣＰＵの処理動作を示すフローチャートである。
【図１５】他の実施の形態に関わるグループ設定情報変更処理に関わる他の温度調整器のＣＰＵの処理動作を示すフローチャートである。
【符号の説明】
【０１１０】
１６  ＬＡＮ回線（通信回線）
２０  通信端子台機能部（通信端子台装置）
３０  機器情報メモリ部（情報記憶手段）
５１  ブラウジング画面生成部（ブラウジング通信手段）
５２  情報項目変更部（制御手段）
５６  制御部（制御手段、ブラウジング通信手段）
【図１】
2006014067.tif 000003
【図２】
2006014067.tif 000004
【図３】
2006014067.tif 000005
【図４】
2006014067.tif 000006
【図５】
2006014067.tif 000007
【図６】
2006014067.tif 000008
【図７】
2006014067.tif 000009
【図８】
2006014067.tif 000010
【図９】
2006014067.tif 000011
【図１０】
2006014067.tif 000012
【図１１】
2006014067.tif 000013
【図１２】
2006014067.tif 000014
【図１３】
2006014067.tif 000015
【図１４】
2006014067.tif 000016
【図１５】
2006014067.tif 000017